(57)【要約】 【課題】  送り機構と付勢手段の付勢力とによりスライダが軸線を中心に一方向に所定角度回転する動作を繰り返すことで、筆記中に筆記芯の偏摩耗を防止するシャープペンシルがある。このシャープペンシルは、筆記動作により、前記付勢手段が前記回転により捻じれることで、筆記芯の偏摩耗を防止することが出来なくなってしまう。【解決手段】  外軸内に、筆記芯の突出手段が配置され、筆圧により筆記芯及び芯保持部を介して、スライダが付勢手段の付勢力に抗して後退し、回転機構と筆圧によりスライダが軸線を中心に一方向に所定角度回転し、また、筆圧解除動作で付勢手段によってスライダが前進し、回転機構と付勢手段の付勢力とによりスライダが軸線を中心に一方向に所定角度回転する動作を繰り返すことで、スライダが所定角度毎に回転し続ける筆記具であって、前記スライダと付勢手段の間に回転抵抗遮断手段を配設することを特徴とする筆記具。【選択図】  図１
2014008716.tif 000002
【特許請求の範囲】
【請求項１】
外軸内に、筆記芯の突出手段が配置され、筆圧により筆記芯及び芯保持部を介して、スライダが付勢手段の付勢力に抗して後退し、回転機構と筆圧によりスライダが軸線を中心に一方向に所定角度回転し、また、筆圧解除動作で付勢手段によってスライダが前進し、回転機構と付勢手段の付勢力とによりスライダが軸線を中心に一方向に所定角度回転する動作を繰り返すことで、スライダが所定角度毎に回転し続ける筆記具であって、前記スライダと付勢手段の間に回転抵抗遮断手段を配設することを特徴とする筆記具。
【請求項２】
前記スライダと回転抵抗遮断手段の少なくともいずれか一方を摺動材料により形成したことを特徴とする請求項１に記載の筆記具。
【請求項３】
前記スライダと回転抵抗遮断手段の少なくともいずれか一方に潤滑塗装又は潤滑鍍金を施したことを特徴とする請求項１に記載の筆記具。
【請求項４】
前記外軸の内径部に前記筆記芯の突出手段が当接することを特徴とする請求項１乃至請求項３のいずれか１項に記載の筆記具。
【発明の詳細な説明】
【技術分野】
【０００１】
本発明は、外軸内に、筆記芯の突出手段が配置された筆記具であって、筆記芯を回転させることができる筆記具に関するものである。
【背景技術】
【０００２】
筆記具によって筆記を行う場合には、一般的に軸筒を筆記面（紙面）に対して直交状態で使用することはなく、筆記面に対して若干傾けた状態で使用される場合が多い。
この様に軸筒を傾けた状態で筆記した場合は、書き進むに従って筆記芯が偏磨耗してしまう現象が発生してしまう。
例えば、筆記具がシャープペンシルや固形描画材である場合には、前記筆記芯の偏摩耗により、描線が徐々に太くなる現象が発生してしまう。この際、描線の太さが変わるだけでなく、筆記面に対する筆記芯の接触面積が大きくなり、描線の濃さも変化してしまう。（描線が薄くなる。）これは、マーキングペンであっても同様であり、特にアクリル製の筆記芯（ペン先）を用いたマーキングペンの場合には、ペン先の偏摩耗が顕著となる。また、筆記具がボールペンである場合には、ボールペンの筆記芯（チップ）の小口の特定の部分が擦り減ることにより、筆記に方向性が出てしまったり、ボールが飛んでしまったりする。
【０００３】
前記記載の問題を解決させる為には、例えば、筆記芯の尖っている側を常に筆記面（紙面）に対して接触させるように筆記を行えば、描線が太くなる等の問題を回避することができる。また、常に筆記芯と筆記面（紙面）との接触箇所を異ならしめるようにして筆記を行うことにより、筆記芯の偏摩耗を防ぐことができる。
しかしながら、筆記芯の尖っている側を常に筆記面（紙面）に対して接触させるように筆記を行ったり、常に筆記芯と筆記面（紙面）との接触箇所を異ならしめるようにして筆記を行ったりする為には、その都度、軸筒をその径方向に回転させて筆記を行う必要がある。これは、筆記の進行に従って軸筒を持ち直し続ける操作が必要であるという煩わしさが発生し、筆記の能率を著しく低下させてしまう。
また、軸筒の外装が円筒形状以外の異形のものや、サイドノック式のシャープペンシルのように軸筒の外周面に突起のついたものであったりすると、前記記載したように軸筒を順次回転させるように持ち直して筆記することは非常に困難となる。
【０００４】
上述したような問題を解決させる為に、筆圧により筆記芯及び芯保持部を介して、スライダが付勢手段の付勢力に抗して後退し、送り機構と筆圧によりスライダが軸線を中心に一方向に所定角度回転させ、その後、筆記中に筆記芯が紙面から浮くと、筆圧が解除され、付勢手段によってスライダが前進し、これに伴って、送り機構と付勢手段の付勢力とによりスライダが軸線を中心に一方向に所定角度回転する動作を繰り返すことで、スライダが所定角度毎に回転し続け、これによって筆記中に筆記芯の偏摩耗を防止するように構成したものが特許文献１に開示されている。
【先行技術文献】
【特許文献】
【０００５】
【特許文献１】特開２０１０−９４９５５号公報
【発明の概要】
【発明が解決しようとする課題】
【０００６】
ところで前記した特許文献１に開示されたシャープペンシルによると、前記スライダを前方に付勢している付勢手段は、スライダと口金内のストッパ片の間で張設されている。その為、筆圧の入力により、前記送り機構によって前記スライダが軸線を中心に回転すると、前記付勢手段は圧縮されると共に、その回転方向に対して捻れが発生してしまう。その後、筆記中に筆記芯が紙面から浮くと、筆圧が解除されて、圧縮されていた付勢手段は元の状態へと復元する。つまり、筆圧入力前に第１の噛合部同士で噛合していたスライダは、筆圧の入力と同時に後退し、前記第１の噛合部での噛合が解除され、次に第２の噛合部同士で噛合する際に、付勢手段を圧縮、及び回転方向へ捻りながらスライダ、及び筆記芯を回転させる。回転したスライダは、筆圧解除と共に、第２の噛合部同士での噛合が外れ、前記付勢手段の復元力によって、筆圧入力動作時の逆方向に回転する復元力が働き、スライダは筆圧入力前の第１の噛合部同士で噛合していた状態に戻ることになる。よって、スライダは、筆記動作によって回転方向に往復運動する事になり、筆記芯は筆記動作によって一方向に回転することが出来ない為、筆記芯の偏摩耗を防止することが出来なくなってしまう。
【課題を解決するための手段】
【０００７】
前記した課題を解決する為になされた本発明の筆記具は、外軸内に、筆記芯の突出手段が配置され、筆圧により筆記芯及び芯保持部を介して、スライダが付勢手段の付勢力に抗して後退し、回転機構と筆圧によりスライダが軸線を中心に一方向に所定角度回転し、また、筆圧解除動作で付勢手段によってスライダが前進し、回転機構と付勢手段の付勢力とによりスライダが軸線を中心に一方向に所定角度回転する動作を繰り返すことで、スライダが所定角度毎に回転し続ける筆記具であって、前記スライダと付勢手段の間に回転抵抗遮断手段を配設することに特徴を有する。
【発明の効果】
【０００８】
本発明は、外軸内に、筆記芯の突出手段が配置された筆記具であって、スライダと付勢手段の間に回転抵抗遮断手段を設けた為、筆圧が加わった際、回転機構によって付勢手段に伝達される回転方向の力を前記回転抵抗遮断手段により遮断する為、筆圧の入力、及び解除動作で一方向に所定角度ずつ回転する動作を確実に繰り返すことが出来、筆記中に筆記芯の偏磨耗防止効果を得ることが出来る。
【図面の簡単な説明】
【０００９】
【図１】本発明の第１の実施形態にかかるシャープペンシルを示す前方縦断面図。
【図２】本発明の第１の実施形態にかかるシャープペンシルのスライダ、芯保護管、芯保持部材を示す片側断面図。
【図３】本発明の第１の実施形態にかかるシャープペンシルの中軸セットの前方を示す縦断面図。
【図４】本発明の第１の実施形態にかかるシャープペンシルの口先部、スライダ、後カムを示す部分拡大図。
【図５】本発明の第１の実施形態にかかるシャープペンシルの押圧動作（芯繰り出し操作）前の状態を示す前方縦断面図。
【図６】本発明の第１の実施形態にかかるシャープペンシルの押圧動作（芯繰り出し操作）後の状態を示す前方縦断面図。
【図７】本発明の第１の実施形態にかかるシャープペンシルの筆記芯が紙面から筆記圧を受けた状態を示す前方縦断面図。
【図８】本発明の第１の実施形態にかかるシャープペンシルの筆記芯が紙面から筆記圧を受けスライダが後退し、後カム接触後にさらに筆記圧を受けた状態を示す前方縦断面図。
【図９】本発明の第１の実施形態にかかるシャープペンシルの筆圧の入力が解除された状態を示す前方縦断面図。
【発明を実施するための形態】
【００１０】
本発明の第１の実施形態の構成について、図面を参照して説明する。
尚、ペン先側を「前方側」として、以下説明する。
図１は、本発明の第１の実施形態にかかるシャープペンシルの前方縦断面図、図２は本発明の第１の実施形態にかかるシャープペンシルのスライダ、芯保護管、芯保持部材を示す片側断面図、図３は本発明の第１の実施形態にかかるシャープペンシルの中軸セットの前方を示す縦断面図、図４は本発明の第１の実施形態にかかるシャープペンシルの口先部、スライダ、後カムを示す部分拡大図を示している。これら図１から図４は、いずれも、シャープペンシルの未使用状態（筆記前の状態）における図である。
【００１１】
まず、外軸Ａについて詳述する。
外軸Ａは軸筒１と口先部２で構成され、その軸筒１には口先部２が取り付けられている。
そして、その口先部２の内部には、円筒状の孔（内孔）とともに複数の段部が形成されており、その内孔は、前記口先部２の前方側に向かい段々と内径が小さくなるように形成され、最も前方に位置する内孔は芯保護管摺動孔２ａとなっている。口先部２内の最後端の段部、即ち、最大内径を有する内孔２ｂの前端部に位置する段部は、チャック解放リング嵌合部２ｃとなっており、そのチャック解放リング嵌合部２ｃの前方には、口先部２の最先端に向け、順に、後方カム嵌合部２ｄ、前方カム２ｅが形成され、さらにその最前端には芯保護管摺動孔２ａが形成されている。尚、口先部２の各段部には、他の部品が当接、若しくは、係止、圧入固定されており、チャック解放リング嵌合部２ｃにはチャック解放リング３が、また、後方カム嵌合部２ｄには後方カム４が、各々配設されている。
また、口先部２内の前方カム２ｅには、軸線を中心に環状に等ピッチで配列された鋸刃状の突起が形成されており、スライダ５の前方可動カム５ａに噛合され、前記スライダ５の前端部に形成された縮径部５ｂには、円筒状の芯保護管１２が挿入され、圧入固定されている。尚、スライダ５内部後方には、拡径部５ｄが形成されており、筆記芯Ｐの戻止めとして機能するゴム製の芯保持部材１５が圧入され、芯保持部材１５の中央には、芯挿通孔１５ａが形成されている。
さらに、口先部２内部であって、後方カム４とチャック解放リング３の間には、回転抵抗遮断手段Ｃが配設されている。その回転抵抗遮断手段Ｃは、スリップリング１３と筆圧受スプリング１４とで構成されている。前記スリップリング１３は、略円筒形状を成しており、その前端は縮径され後方カム４の内径よりも小さい。前記筆圧受スプリング１４は、前記スリップリング１３後方内径部が拡径して形成されたスプリング受座１３ａと、チャック解放リング３の前端面の間に張設されている為、スリップリング１３は筆圧受スプリング１４の付勢力を持って前方に付勢される。尚、スリップリング１３の前端面はスライダ５の後端面に当接している為、スライダ５はスリップリング１３を介して筆圧受スプリング１４の付勢力を受けることになる。
【００１２】
次に、外軸Ａの内部機構について詳述する。
外軸Ａの内部には、中軸セットＢが配設されている。その中軸セットＢは、チャック６、チャックスプリング支持部材７、芯タンク８、チャックスプリング９、チャックリング１０、リングストッパー１１により構成されており、芯繰り出し機構（筆記芯の突出手段）を成している。
芯を把持・解放するための前記チャック６は、中軸セットＢの前方に配設され、そのチャック６を囲繞するようにチャックリング１０が配設されている。そして、前記チャック６の後端部に芯タンク８が係止、若しくは圧入により固定されており、そのチャック６と芯タンク８との間にチャックスプリング支持部材７が挟持されている。このチャックスプリング支持部材７の固定は、前記挟持に限らず、芯タンク８に固定されていても良く、或いは、チャックスプリング９により付勢されていても良い。尚、前記チャック６、チャックスプリング支持部材７、芯タンク８については一体で形成されていても良い。また、図示を省略するが、前記芯タンク８の後端部には、消しゴムが配設され、その消しゴムを覆うキャップが係脱可能に配設されている。
前記リングストッパー１１はチャック６及びチャックリング１０の外周に配設され、チャックスプリング９はチャックスプリング支持部材７の前方外周段部とリングストッパー１１の後方外周段部の間に張設されている。
【００１３】
以上が本実施形態の構成であるが、各ユニットを含め、第１の実施形態を構成する各部材について詳述する。
外軸Ａは前述したように、軸筒１と口先部２で構成されている。
軸筒１は、円筒形状を成しており、その前端内部に、後方内部の内径よりも大きな拡径部１ａを有している。また、軸筒１の外周前方部は、縮径部１ｂになっており、この縮径部に雄螺子部１ｃが形成されている。この雄螺子部１ｃが、口先部２の内部後方に形成された雌螺子部２ｆと螺合し、軸筒１と口先部２とが固定される。尚、この軸筒１と口先部２との固定方法としては、螺子部を設けずに、圧入固定させても、係脱可能に係合させても良い。
【００１４】
口先部２の内部には、芯保護管１２並びに芯保持部材１５が組み付けられたスライダ５が配置されており、そのスライダ５の芯保護管１２が、口先部２の芯保護管摺動孔２ａを挿通するように組み付けられる。
前記スライダ５は、口先部２の内部を摺動可能としているが、前述したようにスライダ５に形成された前方可動カム５ａが口先部２の前方固定カム２ｅと噛合された位置で止まるよう構成されている。
スライダ５の縮径部５ｂに圧入固定される芯保持部材１５は、その内部の軸方向に芯が挿通する芯挿通孔１５ａを有し、また、芯保持部材１５の外形形状としては、前方は先端が平らな円錐状、後方は円筒形状を成している。この芯保持部材１５に用いられる材質は、弾性を有する樹脂であれば良く、具体的には、ニトリルブタジエンゴム、シリコーンゴム、フッ素ゴムなどが挙げられる。
スライダ５内部の縮径部５ｂに圧入固定されている前記芯保護管１２は、繰り出された芯の保護と、視認性を向上させる目的で配設されるが、スライダ５と一体に形成しても良い。尚、前記芯保護管１２に用いられる材質は、芯の保護（筆記芯の芯折れ防止機能）を目的とする為には、金属を用いることが良く、具体的には鉄、及びその合金、銅、及びその合金等が挙げられる。
口先部２の後方カム嵌合部２ｄには、後方カム４が圧入固定されているが、後方カム４は略円筒形状を成しており、その前端外径は縮径されている。さらに、後方カム４の前端面には、軸線Ｌを中心に環状に等ピッチで配列された鋸刃状の突起として後方固定カム４ａが形成され、スライダ５の後方可動カム５ｃに噛合するように構成されている。
また、スライダ５に軸線Ｌを中心に環状に等ピッチで配列された鋸刃状の突起として形成された前方可動カム５ａと後方可動カム５ｃは、周方向で位相のズレ無く配列されているが、口先部２の前方固定カム２ｅと後方カム４の後方固定カム４ａは周方向で位相がズレて配設されている。尚、口先部２の前方固定カム２ｅと後方カム４の後方固定カム４ａの周方向の位相をずらす為に、口先部２の内周面、及び後方カム４の外周面に１乃至、複数の凹凸を設け、位置を定めても良い。さらに、口先部２の前方固定カム２ｅと後方カム４の後方固定カム４ａが、周方向で位相のズレ無く配列され、前方可動カム５ａと後方可動カム５ｃが周方向で位相がズレるよう形成しても良い。
口先部２の後方カム４後方に配置されたスリップリング１３は、口先部２内を軸線Ｌ方向に摺動可能であり、その前端外周が縮径され、後方カム摺動部１３ｂとしており、その外径は後方カム４の内径より小さい。
また、前述したが、前記筆圧受スプリング１４は、前記スリップリング１３後方内径部に拡径されたスプリング受座１３ａと、チャック解放リング３の前端面の間に張設されている為、スリップリング１３は筆圧受スプリング１４の付勢力を持って前方に付勢されており、スリップリング１３の前端面はスライダ５後端面に当接している為、スライダ５はスリップリング１３を介して筆圧受スプリング１４の付勢力を受けることになる。よって、未使用時にはスライダ５は後方カム４の前端面に形成された後方固定カム４ａに対して、スライダ５の後方可動カム５ｃが噛合するように構成されている。尚、本実施例において、前記筆圧受けスプリング１４は、圧縮コイルばねを使用しているが、例えば、板バネやゴム等の弾性体や、形状的に弾性変形可能な剛体であっても良い。
また、口先部２の内部に形成されたチャック解放リング嵌合部２ｃには、チャック解放リング３が圧入固定、乃至、係合されている。芯繰出し動作の際にチャック６からチャックリング１０の係合を解除する為、前記チャック解放リング３の後端内径部にはチャックリング１０の外径よりも小さな孔であるチャック摺動孔３ａが形成されている。
尚、ここまで口先部２に対して、組み付けられたチャック解放リング３、後方カム４、スライダ５、芯保護管１２、スリップリング１３、筆圧受スプリング１４、芯保持部材１５を総称して前軸セットＤと呼称する。
【００１５】
中軸セットＢは、前述したようにチャック６、チャックスプリング支持部材７、芯タンク８、チャックリング９、チャックリング１０、リングストッパー１１により構成されている。
チャック６は、略円筒形状を成しており、その前方部に大径部６ａを有し、前記大径部６ａの外周には、二つ割、若しくは三つ割のスリットが形成され、拡縮可能に形成されている。このチャック６の大径部６ａは、円筒状のチャックリング１０に囲繞され、その外周がチャックリング１０の内周に係合している。前記チャック６の後方は、チャックスプリング支持部材７を介して、円筒形状を成した芯タンク８の前端に圧入固定されており、そして、その芯タンク８の後端には、図示しない消しゴムが配設され、前記消しゴムを覆うキャップが係脱可能に配設されている。尚、前記チャック６、チャックスプリング支持部材７、芯タンク８については一体で形成されていても良い。
リングストッパー１１は略円筒形状を成しており、前端部外周に鍔部１１ａを有している。このリングストッパー１１の内径は、その前方側がやや大径（内径大径部）１１ｂであり、その内径はチャックリング１０の外径よりも大きく形成され、チャックリング１０が摺動可能となっている。このチャックリング１０の後端面は、前記内径大径部１１ｂとその後方の内径部との間で形成された段部（リングストッパー部）１１ｃに当接しており、チャックスプリング９がチャックスプリング支持部材７の前端面とリングストッパー１１の後方外周段部の間に張設されている。つまり、チャックスプリング９は、リングストッパー１１の後方外周段部とチャックスプリング支持部材７の前方外周段部の間に張設されている為、リングストッパー１１とチャックスプリング支持部材７を引き離す力を発生させるが、リングストッパー１１と共にチャックリング１０が前方に摺動し、そのチャックリング１０がチャック６の大径部６ａで噛合い、それ以上動作しない状態となり、その状態で固定される。
【００１６】
次に本発明の第１の実施形態における芯の繰り出し（筆記芯の突出）動作について図５〜図６の図面を基に説明する。図５は、筆記芯Ｐが芯保護管１２内部の先端にあり、筆記芯Ｐが芯保護管１２より突出されていない未使用の状態を示し、図６は、押圧動作（芯繰り出し操作）後の状態を示している。
この図５に示す状態から図示しないキャップの後端部を押圧すると、中軸セットＢが前進し、中軸セットＢ前方部に配設されたリングストッパー１１の前端面がチャック解放リング３に当接するが、中軸セットＢの各部品（チャック６、チャックスプリング支持部材７、芯タンク８、チャックリング１０）は、更なる押圧動作によりチャックスプリング９を圧縮しながら前進する。次に、チャックリング１０の前端面がチャック解放リング３に当接すると、チャックリング１０の内径部に縮径されながら格納されていたチャック６の大径部６ａが解放され、拡開すると共に、大径部６ａの内部で把持されていた筆記芯Ｐも解放される。この際、筆記芯Ｐは芯保持部材１５によって保持されることとなり、大径部６ａの拡開と共に、筆記芯Ｐの前進が止まる。つまり、筆記芯Ｐは、前記押圧動作によって、チャックリング１０が前進し、前記チャックリング１０の前端部が、チャック解放リング３の後端部に当接するまでに進んだ距離と略同等な量、繰り出されることとなる。
尚、前記記載したように前記チャックリング１０の前端部とチャック解放リング３の後端部に当接する距離を任意に設計することで、１回の押圧で芯を繰り出す長さは自由に設定することができる。また、前記押圧動作は、チャック６の前端がチャック解放リング３の段部に当接するまで行うことができる。
【００１７】
次に、筆記中に筆記芯の偏摩耗を防止する動作について、図７〜図９の図面を基に説明する。図７は筆記芯が紙面から筆記圧を受けた状態を示し、図８は筆記芯が紙面から筆記圧を受けスライダ５が後退し、その後方可動カム５ｃと後方カム４の後方固定カム４ａとの接触後にさらに筆記圧を受けた状態を示している。
筆記時に、筆記芯Ｐが紙面に当接し、筆記芯Ｐが筆圧を受けると、筆記芯Ｐを把持しているチャック６が、その筆圧を受けることになる。前記動作によって、図７に示す如く筆記芯Ｐを把持しているチャック６を含む中軸セットＢは後退し、更に、筆記芯Ｐを保持している芯保持部材１５、スライダ５、芯保護管１２も後退し、前記スライダ５の後退と共に、スライダ５の後端部と常時接触しているスリップリング１３も筆圧受スプリング１４を圧縮させながら後退する。前記後退動作により、スライダ５は、後方カム４の後方固定カム４ａに対してスライダ５の後方可動カム５ｃが接触するまで後退するが、その際、前述したように口先部２の前方固定カム２ｅと後方カム４の後方固定カム４ａは周方向で位相がズレて配設されている為、前記後退動作により、スライダ５はスライダ５の後方可動カム５ｃと後方カム４の後方固定カム４ａとが噛み合いながら、さらに筆圧受スプリング１４の付勢力に抗して後退する為、筆圧によってスライダ５、及び筆記芯Ｐは軸線を中心に一定方向に所定角度回転する。
尚、スライダ５の回転に伴って、筆記芯Ｐ、芯保護管１２、芯保持部材１５、及び中軸セットＢは回転するが、スリップリング１３と筆圧受スプリング１４は回転する事がないように構成されている。これは、スライダ５の後端面とスリップリング１３の前端面で、部品同士をスリップさせてスライダ５に発生する回転抵抗力を遮断しているからであり、本構成を採る事で、筆圧受スプリング１４に捻れを発生させないようにしている。具体的には、本実施例においては、スライダ５、及びスリップリング１３の少なくとも一方の部品を摺動材料、即ち、摺動性に優れたポリアセタール、ポリアミド等の樹脂、及び金属で形成している。しかしながら、これに限らず、フッ素コーティング、或いは潤滑塗装、潤滑鍍金の様な表面処理を施し、少なくともその部品同士が接触する面の摺動特性を向上させてスリップ可能にしても良い。また、部品の材質、及び表面状態とは別に、例えばスライダ５とスリップリング１３の間にボール等を配設し、所謂、ボールベアリングの様な転がり支承の構造を採っても良い。  
また、本実施例においては、回転抵抗遮断手段Ｃをスリップリング１３と筆圧受スプリング１４とで構成しているが、本発明はこれに限定されず、例えばスリップリング１３がなく、筆圧受スプリング１４の前端部が直接スライダ５の後方端面に接触するような構成であっても良い。具体的には、回転抵抗遮断手段の機能を筆圧受スプリング１４の前端部とスライダ５の後方端面の接触部に対し、スライダ５に潤滑性・摺動性に優れた樹脂や金属、或いは表面処理を施し、部品同士をスリップさせても良い。更に、例えば、付勢手段を本実施例のようにコイルスプリング（筆圧受スプリング１４）を使用する場合には、スライダ５の回転方向と同一方向にコイルスプリングの巻方向がくるように配設したり、或いは、コイルスプリングの座巻部を平坦、又は、スライダ５との接触面が極力小さいように加工することで、部品の噛付、及び摩擦抵抗を減らして前記部品同士をスリップさせるように構成しても良い。
また、前記に記載したが、筆記芯Ｐが受ける筆圧により中軸セットＢが後退する距離は、スライダ５が後退する距離と同等である。よって、中軸セットＢの後退と共に、前方に配設されたリングストッパー１１もスライダ５と同等な距離後退するが、この時にリングストッパー１１の鍔部１１ａの後端面と軸筒１内部に形成された拡径部１ａの後端面との間で発生する距離をクリアランスＳと呼称している（図７）。
【００１８】
続いて、図８の図面を基に芯保持部材１５が筆記芯Ｐを把持する芯把持力以上の筆圧が加わった場合について説明する。
筆記芯Ｐに対して芯保持部材１５が筆記芯Ｐを把持する芯把持力以上の筆圧が加わると、芯保持部材１５内を筆記芯Ｐが滑って後退し、前記筆記芯Ｐが後退すると、その後退動作によって筆記芯Ｐを把持しているチャック６を含む中軸セットＢが後退する。尚、中軸セットＢは、中軸セットＢ前方に配設されたリングストッパー１１の鍔部１１ａの後端面が、軸筒１内部の拡径部１ａに当接するまでの距離分（クリアランスＳ）後退する。尚、前記リングストッパー１１の鍔部１１ａが、軸筒１内部の拡径部１ａに当接すると、中軸セットＢ、及びチャック６で把持された筆記芯Ｐは、それ以上後退することが出来ない為、そこで筆記時の耐圧を持たせている。また、本実施例では各部品の誤差を踏まえ、クリアランスＳを設けているが、前記クリアランスＳの距離は、スライダ５が軸線Ｌ方向に摺動する距離以上であれば良く、筆記中の違和感を抑制させる為に、スライダ５が軸線Ｌ方向に摺動する距離と同等であることが最良の形態である。
【００１９】
更に、図９の図面を基に筆圧の入力が解除された状態について説明する。
ここで、筆圧の入力が解除されると、筆圧の入力により圧縮された筆圧受スプリング１４の復元力により、スリップリング１３は前進し、更には、スリップリング１３の後方カム摺動部１３ｂの前端面でスライダ５の後端面が押されてスライダ５も前進する。また、スライダ５内部にある芯保持部材１５は、筆記芯Ｐを保持している為、連動して筆記芯Ｐも前進し、筆記芯Ｐを把持しているチャック６を含む中軸セットＢが前進する。前記前進動作により、スライダ５は口先部２の前方固定カム２ｅに対して、スライダ５の前方可動カム５ａが接触するまで前進するが、その際、前述したように口先部２の前方固定カム２ｅと後方カム４の後方固定カム４ａは周方向で位相がズレて配設されている為、前記前進動作により、スライダ５はスライダ５の前方可動カム５ａと口先部２の前方固定カム２ｅとが噛み合いながら、さらに筆圧受スプリング１４の復元力を受けて前進する為、筆圧の解除によってスライダ５、及び筆記芯Ｐは軸線を中心に一定方向に所定角度回転する。
ここで、筆圧入力時の動作と同様にして、スライダ５の回転に伴って、筆記芯Ｐ、芯保護管１２、芯保持部材１５、及び中軸セットＢは回転するが、スリップリング１３と筆圧受スプリング１４は回転する事がないように構成されており、スライダ５の後端面とスリップリング１３の前端面で、部品同士をスリップさせてスライダ５に発生する回転抵抗力を遮断し、筆圧受スプリング１４に捻れを発生させないように構成している。尚、本実施例においては、スライダ５、及びスリップリング１３の少なくとも一方の部品を摺動材料、即ち、摺動性に優れたポリアセタール、ポリアミド等の樹脂、及び金属で形成している為、その部品同士間でスリップさせることが出来、筆圧受けスプリング１４に対する捻れが発生しない。
【００２０】
本実施例に示すシャープペンシルは、以上のように構成されており、筆記時には筆記芯Ｐを回転させる事が出来るので、筆記芯Ｐの偏磨耗が常に防止され、描線の太さや濃さが大きく変化する問題を発生しない。つまり、ほぼ一定の太さと濃さの筆跡を得ることが出来る。同時に、筆記時に意識的に筆記芯を回転させる操作を必要とせず、筆記による筆記面への接触、および／または非接触によって、芯が回転する為、使用者にとって非常に使い勝手の良いものとなる。
そして、本実施例の特徴として、回転抵抗遮断手段Ｃにより、筆記時にスライダ５が回転する際には、スライダ５の後端面とスリップリング１３の前端面で、部品同士をスリップさせてスライダ５に発生する回転抵抗力を遮断している為、筆圧受スプリング１４に捻れを発生させないように構成している。これは、筆記圧を受けてスライダ５が後退しながら軸線Ｌ方向を中心に回転する際、筆圧受スプリング１４が圧縮されると共に捻れが発生しまうと、筆記解除動作の際、前記筆圧スプリング１４は、元の状態（筆記圧入力前）に復元する為、スライダ５が筆記解除動作で後退する際に、前記筆圧スプリング１４の復元力によって逆回転し、スライダ５は筆圧入力前の状態に戻ってしまう為に回転抵抗遮断手段Ｃを設けている。つまり、回転抵抗遮断手段Ｃを配設することで、筆記時においてスライダ５の確実な回転動作を得ることができ、確実に筆記芯Ｐを回転させることが出来る。
【００２１】
以上の第１実施形態にあっては、シャープペンシルを例に挙げたが、本発明は、ボールペンやマーキングペン、固形描画材など、未使用状態においては外軸内に筆記芯が没入しており、使用時に突出する種々の筆記具に対して用いることができる。本発明における筆記芯は、実施例に記載のシャープペンシルの芯以外にも、ボールペンにおけるリフィル（チップ）、マーキングペンにおけるペン先、固形描画材における描画芯などとしても良い。いずれの筆記具にあっても、筆記による筆記面への接触、および／または非接触によって、確実に筆記芯が回転する為、使用者にとって非常に使い勝手の良い筆記具となる。
【符号の説明】
【００２２】
Ａ      外軸
Ｂ      中軸セット
Ｃ      回転抵抗遮断手段
Ｄ      前軸セット
Ｌ      軸線
Ｐ      筆記芯
１      軸筒
１ａ    拡径部
１ｂ    縮径部
１ｃ    雄螺子部
２      口先部
２ａ    芯保護管摺動孔
２ｂ    内孔
２ｃ    チャック解放リング嵌合部
２ｄ    後方カム嵌合部
２ｅ    前方固定カム
２ｆ    雌螺子部
３      チャック解放リング
３ａ    チャック摺動孔
４      後方カム
４ａ    後方固定カム
５      スライダ
５ａ    前方可動カム
５ｂ    縮径部
５ｃ    後方可動カム
５ｄ    拡径部
６      チャック
６ａ    大径部
７      チャックスプリング支持部材
８      芯タンク
９      チャックスプリング
１０    チャックリング
１１    リングストッパー
１１ａ  鍔部
１１ｂ  内径大径部
１１ｃ  リングストッパー部
１２    芯保護管
１３    スリップリング
１３ａ  スプリング受座
１３ｂ  後方カム摺動部
１４    筆圧受スプリング
１５    芯保持部材
１５ａ  芯挿通孔
【図１】
2014008716.tif 000003
【図２】
2014008716.tif 000004
【図３】
2014008716.tif 000005
【図４】
2014008716.tif 000006
【図５】
2014008716.tif 000007
【図６】
2014008716.tif 000008
【図７】
2014008716.tif 000009
【図８】
2014008716.tif 000010
【図９】
2014008716.tif 000011